(57)【特許請求の範囲】
【請求項１】
レンズユニットを備えた遊技機であって、
前記レンズユニットは、
ＬＥＤと対向して離間配置され該ＬＥＤからの出射光を受光して内部に入射させる受光領域と、前記受光領域の外径側に略同心円状に交互に連続した複数の突条及び溝から成る凹凸反射面を備えた拡散内反射領域と、前記受光領域と対向配置された第１出射領域と、該第１出射領域の外径側に延在し、前記拡散内反射領域からの反射光を出射させる第２出射領域と、を有し、
前記第１出射領域は、前記ＬＥＤ側へ凹陥した平坦な中心部と、該中心部の外径側に形成された湾曲出射面と、を備え、
前記出射光の中心部の光を略無反射で前記受光領域の中心部を透過させて前記第１出射領域の中心部を点発光させる第１の発光領域と、
前記受光領域から入射した前記出射光の一部を前記受光領域の一部で一次内反射させて前記第１の発光領域の面発光よりも外径側の前記湾曲出射面を面発光させる第２の発光領域と、
前記受光領域から入射した前記出射光の一部を前記拡散内反射領域の一部で一次内反射させて前記第２の発光領域の面発光よりも外径側の前記第２出射領域を面発光させる第３の発光領域と、
前記受光領域から入射した前記出射光の一部を前記第１出射領域の一部で一次内反射させてから前記第２出射領域で二次内反射させ、更に前記拡散内反射領域の前記凹凸反射面にて三次内反射させて前記第３の発光領域の面発光よりも外径側の前記第２出射領域を面発光させる第４の発光領域と、
を備えることを特徴とする遊技機。
【請求項２】
前記拡散内反射領域を構成する前記凹凸面は、任意の周方向ピッチにて段差状に不連続に形成されていることを特徴とする請求項１に記載の遊技機。
【請求項３】
前記各突条の前記三次内反射面と対向する他の側面は非内反射面であり、前記ＬＥＤからの発光時に該非内反射面と対面する前記第２出射領域は陰影となることを特徴とする請求項１又は２に記載の遊技機。
【発明の詳細な説明】
【技術分野】
【０００１】
本発明はパチンコ遊技機等の遊技機に装備されて電飾機能を発揮するイルミネーションユニットに関する。
【背景技術】
【０００２】
パチンコ機、アレンジボール等の遊技機においては、従来から、単なる照明効果のみならず、遊技盤上における遊技状態の変化等の状況変化を視覚的に表現、報知したり、遊技進行上での電飾効果を図る等の目的から、盤面、盤面部品、その他任意の部位にＬＥＤランプやフィラメント式ランプ等の光源を配置している。
また、人物、動物、アニメのキャラクタ等を象った盤面部品にチップＬＥＤを搭載し、遊技の進行に応じてＬＥＤを発光させることによって遊技進行上特徴的な演出効果を発揮させるようにした電飾装置も知られている。
ＬＥＤは発光面積が小さいいわゆる点光源であるため、広い照明面積を得るためには、盤面部品に搭載するＬＥＤ数を増やしたり、導光板、拡散フィルム等を用いて光を拡散する必要がある。しかし、ＬＥＤ数の増大は設置スペース、重量制限などから限界があり、また導光板等を用いて光を拡散するに際しては厚さ寸法が増大するという問題が発生する。
例えば特許文献１（特開２００５−２０４７９７公報）には、点光源としての光源ランプ（トップビュータイプＬＥＤ）の前面側に配置された透光性のカバー部材の面に、透光性及び光拡散性を有したフィルムを添設すると共に、カバー部材の前方にレンズを配置することにより、点光源からの光を拡散させるようにした発光飾り装置が開示されている。
しかし、正面から見た場合にレンズの中心部に位置するトップビュータイプＬＥＤからの発光が強く視認される点光りを解消することは依然として困難である。また、このようなトップビュータイプＬＥＤからの光を拡散させるためには、ＬＥＤとカバー部材の内側面との間に十分なギャップを確保する必要があって全体厚みが増大するため、薄型化を求められる電飾装置に適用することが難しかった。
【先行技術文献】
【特許文献】
【０００３】
【特許文献１】特開２００５−２０４７９７公報
【発明の概要】
【発明が解決しようとする課題】
【０００４】
このようにチップＬＥＤを用いた電飾装置において、発光光量を増大し、発光範囲を拡大するためには、使用するＬＥＤの個数を増大することが最も容易な対策ではあるが、電飾装置の重量増、コストアップをもたらすため得策ではない。つまり、電飾装置に使用可能なＬＥＤの個数は、レイアウト上、制約されることが多い。
チップＬＥＤは点光源であるため、ＬＥＤからの出射光のビーム径を大幅に上回る面積を有した導光板に出射した場合、導光板よる拡散作用だけでは光を均一、且つ広い範囲に亘って拡散することが困難であり、前方から導光板を視認した際にＬＥＤ近傍の輝度が高く、ＬＥＤから遠くなるほど輝度が低くなる光量ムラ、輝度ムラが認識され易い。
また、チップＬＥＤからの光を拡散させるためには、ＬＥＤと導光板の内側面との間に十分なギャップを確保する必要があり全体厚みが増大するため、薄型化を求められる電飾装置に適用することが難しかった。
本発明は上記に鑑みてなされたものであり、点光りという欠点を有したＬＥＤを用いながらも、導光板の正面への出射光範囲を広く拡散させるとともに、点光りを有効利用して演出効果を高めるようにしたイルミネーションユニットを提供することを目的としている。
また、本発明はＬＥＤと導光板との間のギャップを可能な限り減縮することにより、薄型化を達成することを目的としている。
【課題を解決するための手段】
【０００５】
上記の課題を解決するために、請求項１の発明は、レンズユニットを備えた遊技機であって、前記レンズユニットは、ＬＥＤと対向して離間配置され該ＬＥＤからの出射光を受光して内部に入射させる受光領域と、前記受光領域の外径側に略同心円状に交互に連続した複数の突条及び溝から成る凹凸反射面を備えた拡散内反射領域と、前記受光領域と対向配置された第１出射領域と、該第１出射領域の外径側に延在し、前記拡散内反射領域からの反射光を出射させる第２出射領域と、を有し、前記第１出射領域は、前記ＬＥＤ側へ凹陥した平坦な中心部と、該中心部の外径側に形成された湾曲出射面と、を備え、前記出射光の中心部の光を略無反射で前記受光領域の中心部を透過させて前記第１出射領域の中心部を点発光させる第１の発光領域と、前記受光領域から入射した前記出射光の一部を前記受光領域の一部で一次内反射させて前記第１の発光領域の面発光よりも外径側の前記湾曲出射面を面発光させる第２の発光領域と、前記受光領域から入射した前記出射光の一部を前記拡散内反射領域の一部で一次内反射させて前記第２の発光領域の面発光よりも外径側の前記第２出射領域を面発光させる第３の発光領域と、前記受光領域から入射した前記出射光の一部を前記第１出射領域の一部で一次内反射させてから前記第２出射領域で二次内反射させ、更に前記拡散内反射領域の前記凹凸反射面にて三次内反射させて前記第３の発光領域の面発光よりも外径側の前記第２出射領域を面発光させる第４の発光領域と、を備える遊技機を特徴とする。
また、請求項２の発明は、前記拡散内反射領域を構成する前記凹凸面は、任意の周方向ピッチにて段差状に不連続に形成されている請求項１に記載のレンズユニットを特徴とする。
また、請求項３の発明は、前記各突条の前記三次内反射面と対向する他の側面は非内反射面であり、前記ＬＥＤからの発光時に該非内反射面と対面する前記第２出射領域は陰影となる請求項１又は２に記載のレンズユニットを特徴とする。
【発明の効果】
【０００８】
本発明によれば、導光体の受光領域で受光した光の一部を正面側に直進させるとともに、さらに一部の光を、受光領域の外径側に設けた略同心円状に交互に連続した突条及び溝から成る凹凸反射面を備えた拡散内反射領域に導いてから前記受光領域と対向配置された対向出射領域から出射させることにより、導光板の正面への出射光範囲を広く拡散させるとともに、点光りを有効利用して演出効果を高めることが可能である。
【図面の簡単な説明】
【０００９】
【図１】本発明を適用したパチンコ遊技機の遊技盤面（遊技盤ユニット）を示す正面図。
【図２】本発明を適用したパチンコ遊技機の遊技盤面（遊技盤ユニット）を示す正面図。
【図３】図２に示した可動役物であるイルミネーションユニットを示す図。
【図４】イルミネーションユニットの分解図。
【図５】可動役物の駆動機構を説明する図。
【図６】図４に示す第１の羽根部を構成するアウターレンズを示す図。
【図７】第１の羽根部を構成するインナーレンズを示す図。
【図８】図４のＡ−Ａ線における断面図。
【図９】個々の導光体を示す図。
【図１０】個々の導光体を示す図。
【図１１】個々の導光体を示す図。
【図１２】本発明の導光体における光の経路を説明する図。
【図１３】導光体における発光領域と陰影領域を示す正面図。
【図１４】インナーレンズ上にさらに、アウターレンズを重ねた場合を示す断面図。
【図１５】第２の羽根部を示す図。
【図１６】図４のＢ−Ｂ線における断面図。
【図１７】図１６において実際にＬＥＤから光を出射させた場合の光の光路を示す図。
【発明を実施するための形態】
【００１０】
以下に、図面を参照して本発明の実施の形態を詳細に説明する。
図１、図２は、本発明を適用したパチンコ遊技機の遊技盤面（遊技盤ユニット）を示す正面図である。
図１において、遊技盤１００における遊技領域１０１の周囲には、外レールＲ１及び内レールＲ２が設けられている。これら外レールＲ１及び内レールＲ２は、遊技盤１００の下方に設けた図示しない発射装置から発射された遊技球を遊技領域１０１の上部に案内したり、アウト口１１８に案内したりする。
遊技領域中央には、画像表示器１１１が配置されている。画像表示器１１１は、例えば、液晶表示装置等の液晶表示パネルにより構成され、特別図柄に応じた装飾図柄、例えば数字図柄、アルファベット図柄、キャラクタ図柄等の画像が表示される。また、所謂リーチ状態や特別遊技状態の時は、それぞれの遊技状態であることを示す演出画像等も表示される。
なお、画像表示器１１１の上方に設けた収容部１２０の背面側には、鳳凰を象った可動役物が収容されており、パチンコ遊技機における演出にあわせて、図２に示すように収容部１２０から出没させる。
この可動役物は、内部基板にＬＥＤ（Light Emission Diode）を組み込むことで発光可能とした本発明のイルミネーションユニットである。
【００１１】
画像表示器１１１の下方中央には、第１始動口１１３が配置されている。第１始動口１１３は、遊技球が入賞したときに、第１特別図柄を変動表示させる権利を発生させる。
また遊技盤１００の中央領域であって、画像表示器１１１の中央直下には、変動入賞装置として、左右一対の開閉爪（可動片）を有する電動式チューリップ（以下、「電チュー」と称する）１１４が配置されている。電チュー１１４は、第２始動口として機能しており、遊技球が入賞したときに、第２特別図柄を変動表示させる権利を発生させる。
電チュー１１４は、普通図柄が所定態様で停止したときに所定時間、開成動作するように構成されている。
また遊技盤１００の右側領域には、普通図柄を作動させるためのゲート１１５が設けられている。
更に遊技盤１００の右側領域であって、第１始動口の右側には、特別遊技状態のときに開成状態になる大入賞装置の大入賞口１１６が配置されている。
更に、遊技盤１００の遊技領域１０１には、一般入賞口１１７が配置されていると共に、風車や図示しない多数の遊技釘が突設されている。遊技釘は、遊技球の落下速度を遅くすると共に、落下方向を複雑に変化させて遊技進行上の興趣を高めている。
【００１２】
図３は、図２に示した可動役物であるイルミネーションユニット１０を示す図であり、図４は、イルミネーションユニット１０の分解図である。
図３、図４に示すように、本発明のイルミネーションユニットは、鳳凰の羽根先端部を象った第１の羽根部１１、１５と、鳳凰の頭部及び胴体を象った胴部１３と、鳳凰の胴体から延びる羽根本体部を象った第２の羽根部１２、１４と、から構成されている。図５において詳述するが、イルミネーションユニット１０において、第１の羽根部１１、１５は、第２の羽根部１２、１４に対して、それぞれ軸部１６−１、１６−２を中心として回動可能に接続されている。さらに、第２の羽根部１２、１４も、胴部１３に対して軸部１７−１、１７−２を中心として回動可能に接続されている。
なお、第１の羽根部１１、１５及び胴部１３の正面側には、一面に亘って複数の微細な凸部４１が多数形成されている。後に説明するように、背面に設けたＬＥＤの光を受けて、これら凸部４１の一つ一つが発光する。
【００１３】
図５は、イルミネーションユニットの駆動機構を説明する図であり、（ａ）は収容状態を示す正面図、（ｂ）はその背面図、（ｃ）は、動作状態を示す正面図、（ｄ）は、動作状態を示す背面図である。
図５に示すように、鳳凰を象った本発明の可動役物であるイルミネーションユニット１０は、上下方向に長い略長方形のベース部材１７によって支持されており、またベース部材１７の上部に設けた左右の軸部７０ａ、７０ｂによって一端部を上下方向へ回動自在に軸支された略Ｌ字形の一対のアーム７１ａ、７１ｂの他端部が第１の羽根部１１、１５の先端部に設けた軸部１１ａ、１５ａによって回動自在に軸支されている。
このため、一対のアーム７１ａ、７１ｂが同期して上下方向へ回動する過程で、第１の羽根部１１、１５が上下方向へ開閉動作するため、第１の羽根部１１、１５の基部に対して図４に示す軸１６−１、１６−２により軸支された第２の羽根部１２、１４も連動して上下方向へ開閉動作する（図５（ｃ））。
【００１４】
つまり、第１の羽根部１１、１５、第２の羽根部１２、１４からなる折り畳み式の羽根は、アーム７１ａ、７１ｂの回動によって図５（ａ）（ｂ）に示した収納位置と図５（ｃ）（ｄ）に示した開放位置との間を動作する。
なお、図５（ａ）（ｂ）に示す収納位置にある場合、イルミネーションユニット１０は、図１に示すように収納部１２０の背面側に隠れているが、図５（ｃ）（ｄ）に示す開放位置にある場合、図２に示すように収納部１２０の外に現れる。
なお、イルミネーションユニット１０を支持するベース部材１７は、その左右両側端に設けたレール部１６を介して図示しない支持部により上下動可能に支持されている。
なお、以下に説明する駆動機構によってベース部材１７及びイルミネーションユニット１０は上下動するが、イルミネーションユニット１０が下降する際に、図示しない支持部に設けた左右一対のストッパ７２ａ、７２ｂ（図５（ｃ））が各アーム７１ａ、７１ｂと当接してアームを開放動作させる。
鳳凰は、駆動機構によって全体として上下動すると共に、上昇位置においては羽根が本体部の両側方に折り畳まれた収納状態となり、下降位置においては羽根が開放した開放状態となる。
【００１５】
以下に、図５（ｂ）（ｄ）を使用してイルミネーションユニット１０を駆動する駆動機構を説明する。
駆動機構は、固定部としての、上述の図示しない支持部に固定されたモータ８１と、モータ８１の出力軸により軸心を支持された出力ギア８２と、支持部によって回転自在に軸支されると共に出力ギア８２と常時噛合する大径のギア８３と、ギア８３の前面側に配置されてギア８３の回転によって上下動し、且つ左右両側縁にラックギア７４ａ、７４ｂを有した略矩形のスライドギア片７３と、ギア８３よりも下方の支持部に設けた軸部によって回転自在に軸支され且つスライドギア片７３が上下動する移動経路において常時各ラックギア７４ａ、７４ｂと噛合する左右一対のギア８４、８５と、左右一対のギア８４、８５の下方の支持部により回転自在に軸支され且つ各ギア８４、８５と常時噛合する左右一対のギア８６、８７と、左右一対のギア８６、８７の下方の支持部により回転自在に軸支され且つ各ギア８６、８７と常時噛合し、かつベース部材１７下面に設けたラックギア７５ａ、７５ｂと常時噛合する左右一対のギア（最終ギア対）８８、８９と、を備えている。
なお、ベース部１７の下面には略長方形状の突部が設けられており、ラックギア７５ａ、７５ｂは、この突部の左右両側縁に沿って設けられている。
【００１６】
また、図５（ｃ）に示すように、ギア８３の外周に沿った前面にはピン７６が突設されており、このピン７６はスライドギア片７３の上部に設けた横長の長穴７７に遊嵌している。このため、ギア８３が一方向へ一回転する過程でピンが長穴７７内を一往復し、その際にスライドギア片７３が上下動する。
図５（ｄ）に示すように、スライドギア片７３が上下動すると、まずその左右側縁に設けたラックギア７４ａ、７４ｂと常時噛合するギア８４、８５に駆動力が伝達され、更に順次ギア８６、８７、ギア８８、８９に駆動力が伝達され、最後に８８、８９から鳳凰を支持するベース部材１７下面に設けた左右一対のラックギア７５ａ、７５ｂに駆動力が伝達されてベース部材１７及びイルミネーションユニット１０が上下動する。
【００１７】
ところで、図４に示す第１の羽根部１１、１５は、ＬＥＤを実装した基板上に２つのレンズ部材（インナーレンズ、アウターレンズ）を積層した構成を有している。
図６は、図４に示す第１の羽根部を構成するアウターレンズを示す図であり、図７は、同じく第１の羽根部を構成するインナーレンズを示す図であり、図８は、図４のＡ−Ａ線における断面図である。
図８に示すように、第１の羽根部１１は、複数のトップビュータイプＬＥＤ２１を表面に実装したプリント基板（以下、単に基板とする）２０と、各ＬＥＤ２１と対向して離間配置されたインナーレンズ（第１のレンズユニット）３０と、さらにインナーレンズ３０の出射面に対向して設けたアウターレンズ（第２のレンズユニット）４０と、から構成されている。
図６において、（ａ）は、正面側すなわち図８の断面図においてアウターレンズ４０と対向する側から見た図、（ｂ）は、ＬＥＤ２１と対向する側から見た図であるが、図６、図８からわかるように、インナーレンズ３０には、複数のレンズ（導光体）３０ａが、インナーレンズ３０の羽根形状の一面に渡って設けられている。
【００１８】
図７において、（ａ）は、正面側から見た図であり、（ｂ）は、図８の断面図において、インナーレンズの出射側と対向する側から見た図である。
図７、図８に示すように、アウターレンズ４０には、正面側に突出した断面形状が円弧状の凸部４１（図３、図４）に加え、インナーレンズ側の凸部４１に対応した箇所にも、断面形状が円弧状の凸部４２が設けられている。
正面側及びインナーレンズ側に突出した一対の突部からなるレンズ部の集合としてアウターレンズ４０が構成されている。
すなわち、アウターレンズ４０は、複数の略球状のレンズ部が一つの面に沿って多数隣接配置された構成を有している。
後に詳述するが、これらの凸部４１、４２が、インナーレンズから拡散して出射される光を収束し、かつ増幅して正面側に出射する役割を果たす。
【００１９】
最初に、インナーレンズ３０の構成について説明する。
上記したように、インナーレンズ３０は、複数の導光体３０ａの組み合わせによって構成されている。
図８は、複数の導光体３０ａを含むインナーレンズ３０の断面図であるが、以下では、個々の導光体がＬＥＤ２１の出射光を導光するための構成について説明する。
図９、図１０、図１１は個々の導光体３０ａを示す図であり、図９の（ａ）は正面図、（ｂ）は、側面図、（ｃ）背面図である。また、図１０は、導光体３０ａの斜視図である。
図８に示すように、導光体３０ａは、透明の樹脂からなって透光性を有し、ＬＥＤ２１からの光を透過・導光する導光部３０Ａと、導光体３０Ａの基板側に形成されて、光を遮断・反射する遮光膜３０Ｂと、を有する。
導光体３０ａのＬＥＤ２１との対向部には、導光部３０Ａに光を入光させるための受光領域３１が設けられているが、当然受光領域３１には、遮光部３０Ｂは設けられていない。
導光部３０Ａの天面３３側には、受光領域３１と対向してＬＥＤからの入射光の一部を正面に出射する対向出射領域３２が設けられている。
対向出射領域３２は、天面３３側から基板２０側に向けて凹落した凹所を有するが、これについて後述する。
図８乃至図１０に示すように、導光部３０Ａの基板２０側における受光領域３１の外径側には、略同心円状に交互に連続した複数の突条（例えばＶ字突条）３４及び突条３４に挟まれた溝（例えばＶ字溝）からなる凹凸反射面３４Ａを有してＬＥＤからの入射光のさらに一部を正面側に反射する拡散内反射領域３７が設けられている。
なお、天面３３の対向出射領域３２の外径側における、拡散内反射領域３７（凹凸反射面３４Ａ）と対向する箇所は、拡散内反射領域３７からの反射光を正面側に出射する拡散出射領域３５となる。この部分は、対向出射領域３２とは異なって略平坦である。
【００２０】
図１２は、本発明の導光体３０ａにおける光の経路を説明する図である。
図１１と併せて、本発明の導光体の特徴的な形状により実現される光路を詳細に説明する。
ＬＥＤ２１からの出射光は、ある程度の角度範囲（例えば１２０度程度）で拡がるため、図１１に示す、ＬＥＤ２１と対向する膨出部３１ａに加え、その外周に設けた凹部３１ｂ、その外周に突出させて設けた入射側壁３１ｃから入射して導光体３０ａに入射する。
すなわち、受光領域３１は、膨出部３１ａ、凹部３１ｂ、側壁３１ｃからなる。
受光領域３１に入射する光は、以下に説明するように、主に４系統の光路を辿る。
【００２１】
（第１の光路）
図１２（ａ）に示すように、ＬＥＤ２１から出射された一部の光Ａは、受光領域３１の膨出部３１ａの曲面状の中心部（頂部）３１ｄから導光体３０ａ内部に入射する。
中心部３１ｄでは、光Ａはほとんど屈折されることなく、対向出射領域３２のＬＥＤ側に凹落した平坦な中心部３２ａに入射して、そのまま出射される。
この光Ａは、ほとんど拡散していない収束光であり、強い点光りとなる。
また、光Ａは、中心部３２ａに対してほぼ直角に入射するため、図１２には図示していない基板２０側に殆ど反射されることもない。
【００２２】
（第２の光路）
図１２（ｂ）に示すように、ＬＥＤ２１から出射された一部の光Ｂは、膨出部３１ａの外周部に設けた凹部３１ｂから導光体３０ａ内部に入射する。
導光体内部３０ａに入射した光は、凹部３１ｂと連続した内反射面（第１の１次内反射面）３３ａにより反射されて、対向出射領域の湾曲面３２ｂに向かう。
光Ｂは、湾曲面３２ｂで屈折し、光路を補正された上で（屈折して直進相当の方向性を確保される）、正面側に出射される。
すなわち、この場合、湾曲面３２ｂは、出射面（湾曲出射面）として機能している。
【００２３】
（第３の光路）
図１２（ｃ）に示すように、ＬＥＤ２１から出射された他の一部の光Ｃは、湾曲出射面３１ａ及び内反射面３３ａよりも外径側且つ、膨出部３１ａを包囲するように突設された入射側壁３１ｃに向かう。
垂直な入射側壁３１ｃから導光体３０ａ内部に入射し、入射側壁３１ｃで屈折された光Ｃは、入射側壁３１ｃのさらに外径側に形成された内反射面（第２の1次内反射面）３３ｂに向かう。
内反射面３３ｂで反射された光Ｃは、天面３３に向かって進むが、光Ｃは、天面３３で殆ど反射されることなく、拡散出射領域３５としての天面３３から正面側に出射される。
すなわち、内反射面３３ｂは、入射側壁３１ｃから入光する光を天面３３に向けて反射させるのに十分な角度を入射側壁３１ｃに対して有しており、かつ光Ｃが天面３３で反射しない程度の角度で入射するのに十分な角度を天面３３に対して有している。
【００２４】
（第４の光路）
図１２（ｄ）に示すように、ＬＥＤ２１から出射された一部の光Ｄは、膨出部３１ａの中心部３１ｄの外径側の位置する湾曲面（湾曲入射面）３１ｅから、導光体３０ａに入射する。
入射側の湾曲面３１ｅで湾曲面３２ｂに向けて屈折された光Ｄは、湾曲面３２ｂに入射するが、このとき、図１２（ｂ）に示した光Ｂの場合と異なり、湾曲面３２ｂは、湾曲内反射面（第３の１次内反射面）として機能し、光Ｄは屈折して湾曲面３２ｂから出射されることはない。
これは、湾曲面３２ｂが、湾曲面３１ｅから入射してくる光Ｄに対しては、臨界角（屈折が起こる最大の入射角）よりも大きな角度となるように形成されているためであり、光Ｄは、湾曲面３２ｂで屈折されることなく、湾曲面３２ｂ外周の天面３３に向けて反射されるのである。
【００２５】
光Ｄは、２次内反射面としての天面３３において、さらに、３次内反射面としての凹凸反射面３４Ａ（拡散内反射領域３７）に向けて反射される。
凹凸反射面３４Ａにおいて、光Ｄは、凹凸反射面３４Ａに形成された突条３４のＬＥＤ側（導光体３０ａの中心側）を向いた面３４ａに入射することになる。
面３４ａに入射した光は、そこで正面側（天面３３側）に経路を修正されて、拡散出射領域３５となる天面３３から正面側に出射される。
ＬＥＤから湾曲面（湾曲入射面）３１ｅへの入射時に屈折集光させているので、湾曲内反射面として用いる湾曲面３２ｂの領域を最小限にすることが出来る。これにより、ＬＥＤの基板上での位置ズレによる分光を少ない空間で抑えることが出来る。
なお、導光体３０ａの外周側を向いた面３４ｂは、天面３３で反射される光の進行方向と対向していないため、光が入射・反射されることはない。従って、導光体３０ａにおいて、図９で示される面３４ｂに該当する箇所については光が当たらず陰影が生じる。
【００２６】
図１３は、導光体３０ａにおける発光領域と陰影領域を示す正面図である。
図１３に示すように、面３４ａからは図１２における光Ｄが出射するため、該当箇所が発光するが、面３４ｂには光Ｄが当たらないために陰影が生じている。
また、対向出射領域の中心部３２ａは、上述のように強い点光りが生じる。
対向出射領域の湾曲面３２ｂにおける光Ｂ、拡散出射領域３５における光Ｃ、光Ｄは面発光となる。
このように、上述したような形状を持つ本発明の導光体３０ａによっては、点光りを残して中心から強い光を発しつつ、全体的には、光を拡散させた面発光を実現することが出来る。
また、パチンコ遊技機に実装するために小型化・薄型化の要請がある上、図３、図４で説明したように、本発明の導光体が組み込まれるイルミネーションユニットは、折り畳み動作を行うため小型化の観点からは導光体に厚みをとることが難しい。
【００２７】
本発明の導光体によれば、光を複雑に内反射させることで、導光体自体を薄く保ったまま広い範囲で面発光をさせることが出来る。また、用いるＬＥＤの数も少なくすることが出来る。
さらに、図９、図１３からも分かるように、突条３４のパターンを完全な同心円とせず、例えば突条３４が任意の周方向ピッチにて段差状に不連続なパターンとし、さらに、例えば３０度刻みでパターンを変えている。
同心円とすると、突条３４のパターン、すなわち、面３４ａと面３４ｂの光と影のパターンがリング状となり、これはパチンコ遊技機の演出上向かない場合ある。
本発明のように、突条を不連続に設けて光と影の部分が交互にずれて現れるようにしたことで、陰影がまばらなる。
【００２８】
このようにすることで、拡散出射領域からの発光をよりフラットな面として認識させることが出来る。
突条３４のパターンを、連続なパターンの同心円とすると、光と影のパターンがリング状になり、リング同士の境界線がはっきりする。そうすると、発光パターンには、明確な個性やキャラクタ性が発生する。
キャラクタ性の強い発光パターンは、遊戯者の注意を過剰に惹きつけ、パチンコ遊技機における他の演出の効果を低減させる虞があり、本発明では、拡散出射領域からの発光を、よりキャラクタ性の薄いフラットな面として遊戯者に認識させることで、かかる問題を回避するようにしている。
【００２９】
図１４は、インナーレンズ３０上にさらに、アウターレンズ４０を重ねた場合を示す断面図である。
図１４では、インナーレンズ３０の対向出射領域の中心部３２ａから出射される光Ａと、拡散出射領域から出射される光Ｄのみを表示している。
図１４に基づいて、アウターレンズ４０の働きについて説明する。
上述したように、アウターレンズ４０は、正面側に突出した断面形状が円弧状の凸部４１（出射側突部）（図３、図４）に加え、インナーレンズ側の凸部４１に対応した箇所にも、断面形状が円弧状の凸部（入射側突部）４２が設けられている。
インナーレンズ３０の対向出射領域の中心部３２ａから出射される点光りの光Ａは、収束光ではあるが、すべての光Ａが膨出部３１ａの頂部３１ｄから入光するわけでないため、中心部３２ａからの出射光はある程度拡散する。
アウターレンズ４０は、中心部３２ａからの出射光を凸部４２から入射・屈折させて収束させ、さらに、正面側の凸部４１から出射させる際にさらに屈折させて、収束した直進光とする。
【００３０】
このようにすることで、光Ａの点光りをさらに強力な発光に増幅することが出来る。
また、拡散出射領域に対応する箇所に設けた凸部４２に入射する光Ｄは、凸部４２に対向するインナーレンズ３０の天面３３に対して直角に近い角度で入射してくるが、凸部４２、凸部４１は、光Ａの場合とは異なり、光りＤを光Ａの直進方向よりも外径方向に拡散させる方向に屈折させる。
また、突条３４の面３４ａで反射する光Ｄが入射するレンズ部の凸部４１には、光Ｄを出射する部分と、面３４ｂに対応する影となる部分とが交互に出現する。レンズ効果によって光Ｄが増幅されることで陰影をはっきりさせし、より「ギラギラ感」を出すことが可能になる。
また、図示はしないが、湾曲出射面３２ｂから出射される光Ｂ、拡散出射領域３５から出射される光Ｃも、それぞれ入射するレンズ部によって、光Ａの直進方向よりも外径方向に拡散される。
光Ｂ、Ｃ、Ｄの出射方向を拡散させることで、イルミネーションユニットの正面への出射光範囲を拡散させることが出来る。
なお、胴部１３についても、第１の羽根部１１、１５と造形は異なるが、断面形状、それによって得られる光路も第１と羽根部１１、１５と同じである。
【００３１】
図１５は、図４における第２の羽根部１２（１４）を説明する図であり、（ａ）は正面側から見た図、（ｂ）は背面側から見た図である。なお、図１５では、第２の羽根部１２のみを表示している。
第２の羽根部１２（１４）は、第１の羽根部１１（１５）、胴部１３とは異なり、インナーレンズ、アウターレンズを設けずに、ＬＥＤ５１を設けた基板５０にインナーレンズ３０、アウターレンズ４０の機能を併せ持った単独の導光レンズを積層している。
図１５に示すように、導光レンズは、図９に示す導光体３０ａとは異なる導光体６０ａが、その造形に合わせて複数一面に設けられている。
【００３２】
図１６は、図４のＢ−Ｂ線における断面図である。
導光体６０ａの、導光体３０ａとの違いは、天面６３すなわち拡散出射領域６５の形状にあり、基板側の拡散内反射領域６７に設けた凹凸反射面６４Ａと、突条６４、受光領域６１、対向出射領域６２の形状は、導光体３０ａにおける天面３３（拡散出射領域３５）、凹凸反射面３４Ａ、突条３４、受光領域３１、対向出射領域３２と同等である。
すなわち、導光体６０ａは、その天面の拡散出射領域６５に対応する部分に複数の凸部７１を設けている。
凸部７１は、アウターレンズ４０の凸部４１に相当する。
【００３３】
図１７は、図１６において実際のＬＥＤ５１から光を出射させた場合の光の光路を示す図である。
光Ａ、光Ｂ、光Ｃは、図１２の場合と同様な経路を辿って正面側に出射される。
それに対し、図１７の場合、光Ｄの少なくとも一つは、天面６３に設けた凸部７１によって屈折して経路を変えられ、拡散する。
このように、凸部を設けたアウターレンズを設けなくとも、導光体自体に凸部を設けることで、出射光を広範囲に拡散することが出来る。
拡散効果、光Ａの点光りを強調する効果自体は、アウターレンズを設けた方がより顕著であるが、部材を減らすことで、ユニットの厚みを減らし、小型化、薄型化に効果が得られる。
【符号の説明】
【００３４】
１０  イルミネーションユニット、１１  羽根部、１２  羽根部、１３  胴部、２１  ＬＥＤ、３０  インナーレンズ、３０Ａ  導光部、３０Ｂ  遮光部、３０ａ  導光体、３１  受光領域、３１ａ  膨出部、３１ｂ  凹部、３１ｃ  入射側壁、３１ｄ  中心部、３１ｅ  湾曲面、３２  対向出射領域、３２ａ  中心部、３２ｂ  湾曲面、３３  天面、３３ａ  内反射面、３３ｂ  内反射面、３４  突条、３４Ａ  凹凸反射面、３４ａ  面、３４ｂ  面、３５  拡散出射領域、４０  アウターレンズ、４１  凸部、４２  凸部、５０  基板、５１  ＬＥＤ、６０ａ  導光体、６１  受光領域、７１  凸部、６２  対向出射領域、６３  天面、６４  突条、６４Ａ  凹凸反射面、６５  拡散出射領域、６５  天面、１００  遊技盤、１０１  遊技領域、１１１  画像表示器、１１３  始動口、１１４  電チュー、１１５  ゲート、１１６  大入賞口、１１７  一般入賞口、１１８  アウト口、１２０  収容部
【図１】
0005571443.tif 000002
【図２】
0005571443.tif 000003
【図３】
0005571443.tif 000004
【図４】
0005571443.tif 000005
【図５】
0005571443.tif 000006
【図６】
0005571443.tif 000007
【図７】
0005571443.tif 000008
【図８】
0005571443.tif 000009
【図９】
0005571443.tif 000010
【図１０】
0005571443.tif 000011
【図１１】
0005571443.tif 000012
【図１２】
0005571443.tif 000013
【図１３】
0005571443.tif 000014
【図１４】
0005571443.tif 000015
【図１５】
0005571443.tif 000016
【図１６】
0005571443.tif 000017
【図１７】
0005571443.tif 000018